【事件の表示】
　特願２００３−３８２４２３「薄型アクチュエータを備える薄型マイクロドライブ装置」拒絶査定不服審判事件〔平成１６年６月１０日出願公開、特開２００４−１６４８３８〕について、次のとおり審決する。
【結　論】
　本件審判の請求は、成り立たない。
【理　由】
１．手続の経緯・本願発明
　本願は、平成１５年１１月１２日（優先権主張　2002年(平成14)年11月12日　韓国）の出願であって、本願請求項１〜３に係る発明は、平成２１年６月１７日付け手続補正により補正された特許請求の範囲の請求項１〜３に記載された事項により特定されるものであるところ、請求項１に係る発明（以下、「本願発明」という。）は、次のとおりである。
「【請求項１】
　ベースプレートと、
　前記ベースプレート上に載置されるディスクを回転させるスピンドルモータと、
　前記ディスクに情報を記録／再生するヘッドが端部に装着されたサスペンションと、このサスペンションと一端が連結されるユニマウント部、このユニマウント部の他端が延びて形成されたファンテールモールディング部、及びこのファンテールモールディング部上に固定されて、電流が流れこの電流の電場と印加される磁場との相互作用による電磁気力で前記サスペンションに回動力を提供するボイスコイルよりなるヘッドジンバルアセンブリとを備え、前記ファンテールモールディング部が前記ユニマウント部と一体に形成されていることにより、前記ヘッドジンバルアセンブリが一体形であるアクチュエータと、
　前記ベースプレート上に前記ファンテールモールディング部に対向するように設置されて前記ボイスコイルに前記磁場を印加する磁気アセンブリと、を備え、
　前記ディスクは内側に前記ヘッドがパーキングするためのパーキングゾーンと、当該パーキングゾーンの外側に電気信号が記録されるデータゾーンを有する
　ことを特徴とするマイクロドライブ装置。」
　
２．引用例
　これに対し、当審において平成２１年３月１０日付けで通知した拒絶の理由に引用した、本願の優先権主張の日前に頒布された刊行物である特開平５−１９８１１５号公報（以下、「引用例１」という。）には、「浮上型磁気ヘッド装置」に関して図面とともに、以下の事項が記載されている。（以下、
下線
　
　ア．「【請求項１】
磁気ヘッドを磁気記録媒体の所定位置に持ち来すアームに、サスペンションを介してヘッドスライダが設けられる浮上型磁気ヘッド装置において、上記アームと、上記サスペンションと、上記スライダとを一体物構成としたことを特徴とする浮上型磁気ヘッド装置
　イ．「【0001】
【産業上の利用分野】本発明は、例えば
ハードディスクドライブ装置における浮上型磁気ヘッド装置に係わる
　ウ．「【0010】
【実施例】本発明の一実施例を説明する。この例において例えば図１にその略線的拡大斜視図を示すように、
アーム１とサスペンション２とスライダ３とを一体物構成として
帯状板を先端に向かって幅狭に形成し、その先端部をヘッドスライダ３として構成する
同時にこれより基部側を肉薄に加工することによってこの肉薄部において弾性、いわゆるばね効果をもたせてサスペンション２を構成する。そして更にアーム１のサスペンション２より基部側にアーム１をその回転中心軸上に回動自在に軸支するためのベアリング５を貫通配置する。また、このアーム１自体の例えばベアリング５を挟んでサスペンション２とは反対側の幅広部にいわば直接的にＶＣＭを構成する薄膜コイル１６を形成する
【0011】また、
アーム１の先端部のヘッドスライダ３の磁気記録媒体と対向する側には薄膜磁気ヘッドＨを例えば直接的に薄膜技術によってつくりつける
　エ．「【0017】
【発明の効果】前述したように本発明においては、磁気ヘッドを磁気記録媒体４の所定位置に持ち来すアーム１と、ヘッドスライダ３と、これを支持するサスペンション２とを一体物構成すなわち同一体として構成するものであるので、部品点数の減少、組立て工数の削減がはかられて量産性の向上をはかることができると共にこれら各部をそれぞれ別個に構成する場合に比してそれぞれの形状、位置関係等を正確に設定することができることから、ヘッドスライダ３の浮上量したがって磁気ヘッドの磁気記録媒体からの浮上量の設定を正確に行うことができ、
特にハードディスクドライブ装置等の小型化に伴う浮上型磁気ヘッド装置の小型化、さらに高密度記録化のための狭小な浮上量の設定等において著しい効果をもたらすことができる
　
　上記摘示事項を、図面とともに総合整理すると、引用文献１には以下の発明（以下、「引用例発明」という。）が記載されている。
　「磁気ヘッドを磁気記録媒体の所定位置に持ち来すアームに、サスペンションを介してヘッドスライダが設けられ、
アームとサスペンションとヘッドスライダとを一体物構成として帯状板を先端に向かって幅狭に形成し、その先端部をヘッドスライダとし、
ヘッドスライダの磁気記録媒体と対向する側に薄膜磁気ヘッドを薄膜技術によってつくりつけ、
同時に基部側を肉薄に加工することによってこの肉薄部において弾性、いわゆるばね効果をもたせてサスペンションを構成し、
そして更にアームのサスペンションより基部側にアームをその回転中心軸上に回動自在に軸支するためのベアリングを貫通配置し、
このアーム自体のベアリングを挟んでサスペンションとは反対側の幅広部にＶＣＭを構成する薄膜コイルを形成した浮上型磁気ヘッド装置
を有するハードディスクドライブ装置。」
　
３．対比
　(1) ハードディスク装置は、ベースプレート、ベースプレート上に載置されるディスクを回転させるスピンドルモータを備えていることは周知であるから、引用例発明のハードディスク装置は、本願発明の「ベースプレートと、前記ベースプレート上に載置されるディスクを回転させるスピンドルモータ」を備える構成を実質的に開示している。
　(2) 引用例発明における「磁気ヘッド」は、本願発明の「ディスクに情報を記録／再生するヘッド」に相当する。
　(3) 引用例発明において、アームとサスペンションとヘッドスライダとは一体物構成であり、（薄膜）磁気ヘッドはヘッドスライダの磁気記録媒体と対向する側に作り付けられ、ヘッドスライダより基部側を肉薄に加工してサスペンションが構成されている。
　したがって、引用例発明の「サスペンション」は、本願発明の「ディスクに情報を記録／再生するヘッドが端部に装着されたサスペンション」に相当する。
　(4) 引用例発明の「アームのサスペンションより基部側」の「ベアリング」が貫通配置された部分は、アームとサスペンションが一体物であって、連結されているから、本願発明の「前記サスペンションと一端が連結されるユニマウント部」に相当し、引用例発明の「アーム自体のベアリングを挟んでサスペンションとは反対側の幅広部」は、先端に向かって幅広に形成されており（第１図参照）、本願発明の「前記ユニマウント部の他端が延びて形成されたファンテールモールディング部」に相当する。
　(5) ハードディスク装置において、ＶＣＭ（ボイスコイルモータ）は、コイルに流れる電流による磁場と印加される磁場との相互作用によってアームを回転駆動させるためのものであるから、引用例発明の「アーム自体のベアリングを挟んでサスペンションとは反対側の幅広部に」形成された「ＶＣＭを構成する薄膜コイル」は、本願発明の「前記ファンテールモールディング部上に固定されて、電流が流れこの電流の電場と印加される磁場との相互作用による電磁気力で前記サスペンションに回動力を提供するボイスコイル」に相当する。
　(6) 引用例発明において、アームとサスペンションとヘッドスライダとを一体物構成とされ、サスペンションより基部側にアームをその回転中心軸上に回動自在に軸支するためのベアリングを貫通配置し、このアーム自体のベアリングを挟んでサスペンションとは反対側の幅広部にＶＣＭを構成する薄膜コイルを形成しているのであるから、引用例発明の「アーム」は、本願発明の「前記サスペンションと一端が連結されるユニマウント部と、前記ユニマウント部の他端が延びて形成されたファンテールモールディング部と、前記ファンテールモールディング部上に固定されて、電流が流れこの電流の電場と印加される磁場との相互作用による電磁気力で前記サスペンションに回動力を提供するボイスコイルとよりなるヘッドジンバルアセンブリ」に相当する。
　(7) 引用例発明の「アーム」は、一体物構成とされるもので「前記ファンテールモールディング部が前記ユニマウント部と一体に形成されていることにより、前記ヘッドジンバルアセンブリが一体形」である点で、本願発明と共通する。
　(8) ハードディスク装置において、ＶＣＭ（ボイスコイルモータ）は、コイルに流れる電流による磁場と印加される磁場との相互作用によってアームを回転駆動させるためのものであるから、引用例発明が、磁場を印加するための磁気アセンブリを、上記幅広部（ファンテールモールディング部）に設けられたボイスコイルと対向するようにベースプレート上に設置する構成を有することは明らかである。
　(9) 引用例発明の「浮上型磁気ヘッド装置」は、本願発明の「アクチュエータ」に相当する。 
　そして、本願発明の「マイクロドライブ装置」は、ハードディスクドライブ装置の一種であることは明らかである。
　
　そこで、本願発明と引用例発明とを比較すると、両者の一致点、相違点は次のとおりである。
　
　［一致点］
　「ベースプレートと、
　前記ベースプレート上に載置されるディスクを回転させるスピンドルモータと、
　前記ディスクに情報を記録／再生するヘッドが端部に装着されたサスペンションと、このサスペンションと一端が連結されるユニマウント部、このユニマウント部の他端が延びて形成されたファンテールモールディング部、及びこのファンテールモールディング部上に固定されて、電流が流れこの電流の電場と印加される磁場との相互作用による電磁気力で前記サスペンションに回動力を提供するボイスコイルよりなるヘッドジンバルアセンブリとを備え、前記ファンテールモールディング部が前記ユニマウント部と一体に形成されていることにより、前記ヘッドジンバルアセンブリが一体形であるアクチュエータと、
　前記ベースプレート上に前記ファンテールモールディング部に対向するように設置されて前記ボイスコイルに前記磁場を印加する磁気アセンブリとを備える　
　ハードディスクドライブ装置」である点。
　
　［相違点］
　［相違点１］本願発明では「ディスクは内側に前記ヘッドがパーキングするためのパーキングゾーンと、当該パーキングゾーンの外側に電気信号が記録されるデータゾーンを有する」のに対し、引用例発明は、かかる限定が付されていない点。
　［相違点２］本願発明は「マイクロドライブ装置」であるのに対し、引用例発明では、この点について特定されていない点。
　
４．判断
　最初に相違点２について検討する。
　本願発明における「マイクロドライブ装置」の定義は必ずしも明確ではないが、いわゆるＰＣカードサイズ（厚さ5ｍｍのタイプII、厚さ3.3ｍｍのタイプＩ）の小型のハードディスクドライブ装置は周知である。（当審で拒絶理由通知に引用した特開平９−２６５７０２号公報の段落[0007]や、特開平９−１８０４２６号公報の段落[0030]〜[0032]、特開平８−３２９６２７号公報の段落[0064]、特開平８−２５５４１０号公報の段落[0003]、特開平７−２４４９３６号公報の段落[0016]等参照）
　引用例発明における浮上型磁気ヘッド装置は、ハードディスクドライブ装置等の小型化において著しい効果をもたらすものである（上記エ参照）から、引用例発明のハードディスクドライブ装置を小型のハードディスク装置であるマイクロドライブ装置とすることは、当業者にとって、単なる設計事項に過ぎない。
　
　次に、相違点1について検討する。
　ハードディスク装置において、ディスクの内側にヘッドがパーキングするゾーンとパーキングゾーンの外側に電気信号が記録されるゾーンを有する構成を有する、いわゆるＣＳＳ方式のものは周知であり、ＣＳＳ方式をＰＣカードサイズの小型ドライブに使用することも周知である。（特開平８−２５５４１０号公報の請求項１、特開平９−１８０４２６号公報の段落[0008]、特開平７−２４４９３６号公報の段落[0014]等参照）
　
　そうすると、小型のハードディスク装置として周知であるマイクロドライブ装置において、それ自体周知の構成であるＣＳＳ方式を採用してディスクの内側にヘッドがパーキングするゾーンとパーキングゾーンの外側に電気信号が記録されるゾーンを有する構成とすることも当業者が適宜選択しうる設計事項にすぎない。
　
　そして、本願発明の作用効果も、引用例及び周知技術から当業者が予測できる範囲のものである。
　
　したがって、本願発明は、その優先権主張の日前に頒布された刊行物である引用例に記載された発明、及び、周知技術に基づいて、当業者が容易に発明をすることができたものであるから、特許法第２９条第２項の規定により特許を受けることができない。
　
５．むすび
　以上のとおり、本願請求項１に係る発明は、特許法第２９条第２項の規定により特許を受けることができない。
　したがって、その余の請求項について論及するまでもなく、本願は拒絶すべきである。
　よって、結論のとおり審決する。